(57)【要約】【課題】コストの低減化が図られたシールドケーブルの端末構造を提供する。【解決手段】シールドケーブル１０の、回路基板３０に半田付けされる側の端末は、絶縁体１２とシールド導体１３双方の前端面がほぼ揃っている。信号線１１はその前端面から突出した形状を有する。また、この端末は、信号線１１が非接触で通過する開口２１ａが形成されシールド導体１３の前端面に突き当てられる板形状の導体板２１を備えている。この導体板２１は、回路基板３０に対面する底縁２１１がシールド導体１３とほぼ揃っている。また、この導体板２１は、底縁２１１を除く周縁がシールド導体１３よりも突出することにより回路基板３０に対面する側を除く３方に広がる鍔部２１２を有する。【選択図】図２
2015141874.tif 000002
【特許請求の範囲】
【請求項１】
信号線と、該信号線を取り巻く絶縁体と、該絶縁体を取り巻くシールド導体とを有し、被接続体表面に沿わせた姿勢に該被接続体に半田付けされるシールドケーブル端末構造であって、
前記シールドケーブルの、前記被接続体に半田付けされる側の端末が、前記絶縁体と前記シールド導体双方の前端面がほぼ揃うとともに前記信号線が該前端面から突出した形状を有し、さらに
前記信号線が非接触で通過する開口が形成され前記シールド導体前端面に突き当てられる板形状であって、前記被接続体に対面する底縁が前記シールド導体とほぼ揃うとともに該底縁を除く周縁が該シールド導体よりも突出することにより、該被接続体に対面する側を除く３方に広がる鍔部を有する導体板を備えたことを特徴とするシールドケーブルの端末構造。
【請求項２】
前記信号線が摺りながら貫通する形状の開口が形成され、前記導体板の、前記信号線先端側に貼着された絶縁板をさらに備えたことを特徴とする請求項１記載のシールドケーブルの端末構造。
【請求項３】
前記シールドケーブルが、前記信号線および前記絶縁体を複数対具備し、前記シールド導体が該複数対の絶縁体を一体に取り巻くものであることを特徴とする請求項１又は２記載のシールドケーブルの端末構造。
【発明の詳細な説明】
【技術分野】
【０００１】
本発明は、シールドケーブルの端末構造に関する。
【背景技術】
【０００２】
離れた電子回路等から回路基板への信号の伝送用として、シールドケーブルが多用されている。シールドケーブルは、信号線と、その信号線を取り巻く絶縁体と、その絶縁体を取り巻くシールド導体とを有する。そのシールドケーブルの端末を回路基板に接続するにあたっては、回路基板への接続に適するシールドケーブルの端末構造が必要となる。例えば特許文献１には、シールドケーブル端末のシールド導体にワイヤを巻いてそのワイヤをシールド導体に半田付けした構造が開示されている。このワイヤは回路基板上に延びて回路基板上のグランドに接続される。
【先行技術文献】
【特許文献】
【０００３】
【特許文献１】特開２０１３−７７５４５号公報
【発明の概要】
【発明が解決しようとする課題】
【０００４】
上掲の特許文献１に開示された技術の場合、シールド導体にワイヤを巻いて半田付けする作業が煩雑である。このため、シールドケーブルを回路基板に半田接続するのに手間がかかり、コストを押し上げる要因となる。
【０００５】
本発明は、上記事情に鑑み、コストの低減化が図られたシールドケーブルの端末構造を提供することを目的とする。
【課題を解決するための手段】
【０００６】
上記目的を達成する本発明のシールドケーブルの端末構造は、信号線と、信号線を取り巻く絶縁体と、絶縁体を取り巻くシールド導体とを有し、被接続体表面に沿わせた姿勢に被接続体に半田付けされるシールドケーブル端末構造であって、
シールドケーブルの、被接続体に半田付けされる側の端末が、絶縁体とシールド導体双方の前端面がほぼ揃うとともに信号線がその前端面から突出した形状を有し、さらに
信号線が非接触で通過する開口が形成されシールド導体前端面に突き当てられる板形状であって、被接続体に対面する底縁がシールド導体とほぼ揃うとともにその底縁を除く周縁がシールド導体よりも突出することにより、被接続体に対面する側を除く３方に広がる鍔部を有する導体板を備えたことを特徴とする。
【０００７】
本発明によれば、シールドケーブルの前端面に導体板を取り付ければよく、端末処理を短時間で容易に完成させることができる。またその導体板は、打抜き加工等により低コストで容易に製造することができる。したがって、本発明によれば、コストの低減化が図られる。
【０００８】
ここで、本発明のシールドケーブルの端末構造において、信号線が摺りながら貫通する形状の開口が形成され、導体板の、信号線先端側に貼着された絶縁板をさらに備えることが好ましい。
【０００９】
この絶縁板を備えると、この絶縁板の開口に信号線を通すことで、上記前端面に導体板を押し当てたとき、シールドケーブルに対し導体板が位置決めされる。これにより、導体板の装着が一層容易となり、端末処理の作業性が一層向上する。
【００１０】
また、本発明のシールドケーブルの端末構造において、シールドケーブルが、信号線および絶縁体を複数対具備し、シールド導体がそれら複数対の絶縁体を一体に取り巻くものであってもよい。
【００１１】
本発明のシールドケーブルの端末構造は、信号線および絶縁体を複数対具備するシールドケーブルにも好適である。
【発明の効果】
【００１２】
以上の本発明によれば、シールドケーブルの、コストが低減化された端末構造が提供される。
【図面の簡単な説明】
【００１３】
【図１】本発明の一実施形態としての端末構造を有するシールドケーブルの端末を示した正面図である。
【図２】本発明の一実施形態としての端末構造を有するシールドケーブルの端末を示した側面図である。
【発明を実施するための形態】
【００１４】
以下、本発明の実施の形態を説明する。
【００１５】
図１，図２は、本発明の一実施形態としての端末構造を有するシールドケーブルの端末を示した、それぞれ正面図、側面図である。図２には、２点鎖線で回路基板も示されている。
【００１６】
このシールドケーブル１０は、図２に示すように回路基板３０の表面に沿わせた姿勢に、その回路基板３０に半田付けされる。
【００１７】
このシールドケーブル１０は、信号線１１とその信号線１１を取り巻く絶縁体１２を、２対具備している。また、これらの絶縁体の周囲には、シールド導体１３が備えられている。このシールド導体１３は、２対の絶縁体１２を一体に取り巻いている。
【００１８】
そして、これら絶縁体１２の前端面とシールド導体１３の前端面（図１に示す側の面、図２に示す左向きの面）はほぼ揃っている。すなわち、ほぼ１つの平面となっている。また信号線１１は、その前端面から突出している。図１，図２には、信号線１１の突出した部分が回路基板３０への半田付け用に折り曲げられている。ただし、信号線１１を剥き出しに突出させた最初の状態では、信号線１１は前方に真っ直ぐに突出している。
【００１９】
このシールドケーブル１０の、信号線１１を突出させた端末には、プレート２０が装着される。このプレート２０は、導体板２１と、その導体板２１の、信号線１１の先端側に貼着された絶縁板２２とで構成されている。
【００２０】
導体板２１は、信号線１１が非接触で通過する開口２１ａが形成された板形状を成している。この導体板２１は、シールド導体１３の前端面に突き当てられた状態で、シールドケーブル１０に装着される。この導体板２１は、シールドケーブル１０に装着された状態において、回路基板３０に対面する底縁２１１についてはシールドケーブル１０のシールド導体１３の底面（回路基板３０に対面する側の面）とほぼ揃っている。これに対し、この導体板２１の底縁２１１を除く周縁はシールド導体１３よりも突出している。これにより、この導体板２１には、回路基板に対面する側を除く３方に広がる鍔部２１２が形成されている。図２において×印を付した部分は半田付けされる部分である。すなわちこの導体板２１がシールド導体１３に半田付けされることにより、このプレート２０がシールドケーブル１０に固定される。さらに、シールド導体１３が回路基板３０のグランドに半田付けされる。ここで、この導体板２１は上記の鍔部２１２を有する。このため、導体板２１とシールド導体１３との間の半田付けの際、およびシールド導体１３と回路基板３０との間の半田付けの際にその半田が信号線１１側に流れて短絡したり、あるいは電気的な特性が変化してしまうことが防止される。
【００２１】
また、前掲の特許文献１では、前端部のシールド導体が剥がれて信号線を取り巻く絶縁体が剥き出しとなっている。これに対し、本実施形態の場合、シールド導体１３は、絶縁体１２の前端まで覆っている。さらに、導体板２１が信号線１１の絶縁体１２から露出した根元の部分を覆っている。このように、本実施形態の場合、特許文献１と比べ、シールドケーブルの端末がより確実にシールドされている。このため、伝送性能が劣化しない。
【００２２】
また、絶縁板２２は、導体板２１と同一の外形を有する。ただし、この絶縁板２２には、信号線１１の太さとほぼ同じ径の穴２２ａが、２本の信号線１１の間隔と同じ間隔に２つ形成されている。信号線１１は、突出した状態に剥き出しにされたままの状態では前方に真っ直ぐ延びている。その状態の信号線１１が絶縁板２２の穴２２ａに擦りながら挿通される。この絶縁板２２は導体板２１に貼着されている。このため、この絶縁板２２の穴２２１に信号線１１を挿通させることにより、このプレート２０の、シールドケーブル１０に対する位置決めが行なわれる。また、絶縁板２２の２つの穴２２ａの間隔は２本の信号線１１の間隔と一致している。このため、２本の信号線１１を２つの穴２２ａに通すことにより、２本の信号線１１どうしの間隔が所期の間隔に規制される。これにより、回路基板３０への半田付け不良等の事故が抑制される。
【００２３】
本実施形態で使われるプレート２０は、導体板２１の基になる平板と絶縁体２２の基になる平板の打抜き加工と、貼付けとで形成される。また、このプレート２０を図１，図２のようにシールドケーブル１０に取り付けることで端末構造が完成する。このように、プレート２０の簡易な製造法、簡易な取付け方によりこの端末構造が完成する。したがって、シールドケーブル１０の回路基板３０への接続に伴うコストが抑制される。
【００２４】
ここで、本実施形態では、導体板２１と、その導体板２１に貼着された絶縁板２２とからなるプレート２０が採用されている。しかしながら、信号線１１との短絡等を回避しつつグランドの半田接続を確実に行なう目的のためには、絶縁板２２は必ずしも必要ではなく、導体板２１のみを採用してもよい。
【００２５】
また、本実施形態では、信号線１１と絶縁体１２を２対備えたシールドケーブルの端末構造が示されている。しかしながら、本発明は信号線等の本数の如何を問うものではない。本発明は、信号線等が１本のみ、あるいは３本以上のシールドケーブルについても同様に適用可能である。
【００２６】
さらに、本実施形態では、絶縁板２２の穴２２ａは信号線１１とほぼ同径の穴であったが、矩形の穴であってもよく、或いは、絶縁板２２の外縁で開放する切欠きであってもよい。
【００２７】
また、シールドケーブル１０は、シールド導体１３の内側にドレーンワイヤを有してもよい。
【００２８】
さらに、本発明のシールドケーブルの端末構造の接続対象は、回路基板に限定されず、信号コンタクト及びグランドコンタクトがリードフレーム状に形成されたコネクタのコンタクトであってもよい。
【符号の説明】
【００２９】
１０    シールドケーブル
１１    信号線
１２    絶縁体
１３    シールド導体
２０    プレート
２１    導体板
２１ａ    開口
２２    絶縁板
２２ａ    穴
３０    回路基板
２１１    底縁
【図１】
2015141874.tif 000003
【図２】
2015141874.tif 000004